(57)【特許請求の範囲】
【請求項１】
電子機器の電池ボックス内に挿入し、電池の接続端子を介して電子機器に電源を供給する電子機器のダミー電池であって、
前記電池ボックス内に挿入可能であり、前記電池の接続端子と同じ位置に電源供給用の接続端子が設けられ、該接続端子と電気的に接続されて、商用電源を用いたＡＣアダプタのプラグが着脱可能なＡＣアダプタジャックを備え、
当該外形の前記電池ボックスへの挿入方向の長さは電池長さと同等であり、挿入方向に直交する断面の形状において電池の形状よりも大きくなる突起部を設け、該突起部の挿入方向の長さは挿入方向の手前の端部から挿入方向の長さの一部のみとし、大きくした箇所に前記ＡＣアダプタジャックを配置し、前記電池ボックス側の前記突起部に対応する箇所にくぼみが設けられた電子機器に装着することを特徴とする電子機器のダミー電池。
【請求項２】
前記ＡＣアダプタジャックと前記接続端子との間に、逆電圧保護回路を設けたことを特徴とする請求項１に記載の電子機器のダミー電池。
【請求項３】
前記ＡＣアダプタジャックと前記接続端子との間に、過電圧保護回路を設けたことを特徴とする請求項１に記載の電子機器のダミー電池。
【請求項４】
前記ＡＣアダプタジャックと前記接続端子との間に、コモンモードフィルタを設けたことを特徴とする請求項１に記載の電子機器のダミー電池。
【請求項５】
前記ＡＣアダプタジャックと前記接続端子との間に逆電圧保護回路と過電圧保護回路とを設けたことを特徴とする請求項１に記載の電子機器のダミー電池。
【請求項６】
前記ＡＣアダプタジャックと前記接続端子との間に逆電圧保護回路とコモンモードフィルタとを設けたことを特徴とする請求項１に記載の電子機器のダミー電池。
【請求項７】
前記ＡＣアダプタジャックと前記接続端子との間に過電圧保護回路とコモンモードフィルタとを設けたことを特徴とする請求項１に記載の電子機器のダミー電池。
【請求項８】
前記ＡＣアダプタジャックと前記接続端子との間に逆電圧保護回路と過電圧保護回路とコモンモードフィルタとを設けたことを特徴とする請求項１に記載の電子機器のダミー電池。
【請求項９】
電池ボックス内に挿入し、電池の接続端子を介して電源を供給するダミー電池を装着可能な電子機器であって、
前記ダミー電池は、前記電池ボックス内に挿入可能であり、前記電池の接続端子と同じ位置に電源供給用の接続端子が設けられ、該接続端子と電気的に接続されて、商用電源を用いたＡＣアダプタのプラグが着脱可能なＡＣアダプタジャックを備え、
当該外形の前記電池ボックスへの挿入方向の長さは電池長さと同等であり、挿入方向に直交する断面の形状において電池の形状よりも大きくなる突起部を設け、該突起部の挿入方向の長さは挿入方向の手前の端部から挿入方向の長さの一部のみとし、大きくした箇所に前記ＡＣアダプタジャックが配置され、
前記電池ボックスは、前記突起部に対応する箇所に挿入方向の手前の端部から該突起部の挿入方向の長さに対応したくぼみが設けられていることを特徴とする電子機器。
【発明の詳細な説明】
【０００１】
【発明の属する技術分野】
本発明は、電子機器のダミー電池および電子機器に関し、より詳細には、電子機器の電池ボックス内に電池を挿入し、電池の接続端子を介して電子機器に電源供給可能な電子機器のダミー電池および電子機器に関する。
【０００２】
【従来の技術】
従来より、携帯性のある電子機器では、電池を挿入するための電池ボックスを設けて電池から電源供給を受けたり、あるいは、市販のＡＣアダプタを用いて商用電源からも電源供給できるようになっていた。
【０００３】
例えば、実開平５−４３７２９号公報に記載の「電子機器の電源装置」では、ＡＣアダプタなどによって電源供給が可能であり、電圧変換器が内蔵されたダミー電池に関するものであった。
【０００４】
また、特開平１１−２１４０９８号公報に記載の「電池型電力供給器」では、電池の外形の収まりやＡＣアダプタ等で電源供給可能なダミー電池に関するものであった。
【０００５】
このように、電池駆動が可能な電子機器を家庭内などで使用する場合、商用電源を用いたＡＣアダプタから電源供給を行うことのできる電子機器が多数販売されている。その場合、従来の電子機器の本体側には、電池を収納する電池ボックスとは別に、ＡＣアダプタ用のジャックが設けられている場合と、使用する電池と同じサイズのダミー電池にＡＣアダプタジャックが設けられ、それを電子機器本体の電池ボックスに挿入することで、電池の接続端子から電源供給が受けられる場合とがあった。
【０００６】
【発明が解決しようとする課題】
しかしながら、このような従来例にあっては、例えば、上記した実開平５−４３７２９号の公報例のように、電子機器に電池ボックスとは別にＡＣアダプタジャックを設けた場合、異なる仕様のＡＣアダプタを間違って使用すると、本体内の電池を過充電したり、電子機器が破壊されるなどの恐れがあるため、これを防止するためのスイッチ回路が必要となることから、回路が複雑になる上、スイッチ損失によって電力の利用効率が低下するという問題があった。
【０００７】
また、上記した特開平１１−２１４０９８号の公報例のように、電池と同じサイズのダミー電池を用いた電子機器の場合、回路を簡略化することはできるが、ダミー電池を電子機器本体に挿入する際に、電池の挿入方向を間違えて逆差しするという恐れがあった。仮に、電池の形状によって誤挿入を防ぐ形状になっていたとしても、ある同じ形状の電池を複数の機種で用いるような場合、ダミー電池の形状を電池と同じにすると、ある機種専用に製作したダミー電池を他の機種に誤って使用される恐れがあるという問題があった。
【０００８】
本発明は、上述した事情に鑑みてなされたもので、電池および商用電源のあるところでＡＣアダプタを用いた使用が可能であって、誤挿入防止や仕様の異なる機器との接続を防止することができると共に、回路構成が簡略化できる電子機器のダミー電池および電子機器を提供することを目的とする。
【０００９】
【課題を解決するための手段】
上記課題を解決するために、請求項１に記載の発明にかかる電子機器のダミー電池は、電子機器の電池ボックス内に挿入し、電池の接続端子を介して電子機器に電源を供給する電子機器のダミー電池であって、前記電池ボックス内に挿入可能であり、前記電池の接続端子と同じ位置に電源供給用の接続端子が設けられ、該接続端子と電気的に接続されて、商用電源を用いたＡＣアダプタのプラグが着脱可能なＡＣアダプタジャックを備え、当該外形の前記電池ボックスへの挿入方向の長さは電池長さと同等であり、挿入方向に直交する断面の形状において電池の形状よりも大きくなる突起部を設け、該突起部の挿入方向の長さは挿入方向の手前の端部から挿入方向の長さの一部のみとし、大きくした箇所に前記ＡＣアダプタジャックを配置し、前記電池ボックス側の前記突起部に対応する箇所にくぼみが設けられた電子機器に装着することを特徴とする。
【００１０】
この請求項１に記載の発明によれば、ダミー電池の電池ボックスへの挿入方向の長さはダミー電池の長さと同等とし、ダミー電池の挿入方向と直交する断面形状において、電池の形状よりも大きくなる突起部を設けたため、誤挿入防止や仕様の異なる機器との接続を防止することができる。さらに、ダミー電池の突起部の挿入方向の長さは、挿入方向の手前の端部から挿入方向の長さの一部のみとし、電池の形状よりも大きくした突起部にＡＣアダプタジャックを配置している。
【００１５】
請求項２に記載の発明にかかる電子機器のダミー電池は、請求項１に記載の電子機器のダミー電池において、前記ＡＣアダプタジャックと前記接続端子との間に、逆電圧保護回路を設けたことを特徴とする。
【００１６】
この請求項２に記載の発明によれば、汎用のＡＣアダプタを使用する場合、アダプタプラグのプラス／マイナスが逆になっているものを誤って使用した場合の安全対策として、従来は逆電圧保護回路を電子機器本体内に設けていたが、この回路をダミー電池内に設けるようにしたため、電子機器本体のサイズをより小型化することができる。
【００１７】
請求項３に記載の発明にかかる電子機器のダミー電池は、請求項１に記載の電子機器のダミー電池において、前記ＡＣアダプタジャックと前記接続端子との間に、過電圧保護回路を設けたことを特徴とする。
【００１８】
この請求項３に記載の発明によれば、汎用のＡＣアダプタを使用する場合、アダプタプラグが同形状で異なる電圧のＡＣアダプタを誤って使用した場合、あるいは、ＡＣアダプタが壊れてしまった等の理由によって、定格以上の電圧が出力されてしまった場合の安全対策として、従来は過電圧保護回路を電子機器本体内に設けていたが、この回路をダミー電池内に設けるようにしたため、電子機器本体のサイズをより小型化することができる。
【００１９】
請求項４に記載の発明にかかる電子機器のダミー電池は、請求項１に記載の電子機器のダミー電池において、前記ＡＣアダプタジャックと前記接続端子との間に、コモンモードフィルタを設けたことを特徴とする。
【００２０】
この請求項４に記載の発明によれば、ＥＭＣ対策として従来はコモンモードフィルタを電子機器本体内に設けていたが、この回路をダミー電池内に設けるようにしたため、電子機器本体のサイズをより小型化することができる。
【００２１】
請求項５に記載の発明にかかる電子機器のダミー電池は、請求項１に記載の電子機器のダミー電池において、前記ＡＣアダプタジャックと前記接続端子との間に逆電圧保護回路と過電圧保護回路とを設けたことを特徴とする。
【００２２】
この請求項５に記載の発明によれば、従来は安全対策として、逆電圧保護回路と過電圧保護回路とを電子機器本体内に設けていたが、この回路をダミー電池内に設けるようにしたため、電子機器本体のサイズをさらに小型化することができる。
【００２３】
請求項６に記載の発明にかかる電子機器のダミー電池は、請求項１に記載の電子機器のダミー電池において、前記ＡＣアダプタジャックと前記接続端子との間に逆電圧保護回路とコモンモードフィルタとを設けたことを特徴とする。
【００２４】
この請求項６に記載の発明によれば、従来は安全対策およびＥＭＣ対策として、逆電圧保護回路とコモンモードフィルタを電子機器本体内に設けていたが、この回路をダミー電池内に設けるようにしたため、電子機器本体のサイズをさらに小型化することができる。
【００２５】
請求項７に記載の発明にかかる電子機器のダミー電池は、請求項１に記載の電子機器のダミー電池において、前記ＡＣアダプタジャックと前記接続端子との間に過電圧保護回路とコモンモードフィルタとを設けたことを特徴とする。
【００２６】
この請求項７に記載の発明によれば、従来は安全対策およびＥＭＣ対策として、過電圧保護回路とコモンモードフィルタを電子機器本体内に設けていたが、この回路をダミー電池内に設けるようにしたため、電子機器本体のサイズをさらに小型化することができる。
【００２７】
請求項８に記載の発明にかかる電子機器のダミー電池は、請求項１に記載の電子機器のダミー電池において、前記ＡＣアダプタジャックと前記接続端子との間に逆電圧保護回路と過電圧保護回路とコモンモードフィルタとを設けたことを特徴とする。
【００２８】
この請求項８に記載の発明によれば、従来は安全対策およびＥＭＣ対策として、逆電圧保護回路と過電圧保護回路とコモンモードフィルタを電子機器本体内に設けていたが、この回路をダミー電池内に設けるようにしたため、電子機器本体のサイズをより一層小型化することができる。
【００２９】
請求項９に記載の発明にかかる電子機器は、電池ボックス内に挿入し、電池の接続端子を介して電源を供給するダミー電池を装着可能な電子機器であって、前記ダミー電池は、前記電池ボックス内に挿入可能であり、前記電池の接続端子と同じ位置に電源供給用の接続端子が設けられ、該接続端子と電気的に接続されて、商用電源を用いたＡＣアダプタのプラグが着脱可能なＡＣアダプタジャックを備え、当該外形の前記電池ボックスへの挿入方向の長さは電池長さと同等であり、挿入方向に直交する断面の形状において電池の形状よりも大きくなる突起部を設け、該突起部の挿入方向の長さは挿入方向の手前の端部から挿入方向の長さの一部のみとし、大きくした箇所に前記ＡＣアダプタジャックが配置され、前記電池ボックスは、前記突起部に対応する箇所に挿入方向の手前の端部から該突起部の挿入方向の長さに対応したくぼみが設けられていることを特徴とする。
【００３０】
この請求項９に記載の発明によれば、ダミー電池の電池ボックスへの挿入方向の長さはダミー電池の長さと同等とし、ダミー電池の挿入方向と直交する断面形状において、電池の形状よりも大きくなる突起部を設けたため、誤挿入防止や仕様の異なる機器との接続を防止することができる。さらに、ダミー電池の突起部の挿入方向の長さは、挿入方向の手前の端部から挿入方向の長さの一部のみとし、電池の形状よりも大きくした突起部にＡＣアダプタジャックを配置している。
【００３３】
【発明の実施の形態】
以下に添付図面を参照して、本発明に係る電子機器のダミー電池および電子機器の好適な実施の形態を詳細に説明する。
【００３４】
図１は、本実施の形態の電子機器のダミー電池の概略構成を説明する斜視図である。図１において、通常電源として電池駆動が可能な電子機器１は、内部に電池２が収納可能な電池ボックス３を備えていて、電池２側には接続端子としての出力端子４ａ，４ｂ，４ｃが設けられ、電池ボックス３側には、電池２の挿入時にこれと接続されて電源供給を行う電子機器１側の接続端子５ａ，５ｂ，５ｃが設けられている。
【００３５】
また、本実施の形態では、電子機器１を電池駆動する以外に、市販のＡＣアダプタ６を使って商用電源から電源供給が可能なダミー電池７を使用することが可能である。このダミー電池７は、ＡＣアダプタ６を挿入するＡＣアダプタジャック８と、電子機器１側の接続端子５ａ，５ｂ，５ｃと接続可能な接続端子としての出力端子９ａ，９ｂ，９ｃとを備え、さらにそのダミー電池７の外形の一部を、ここでは半円筒状に大きくした突起１０を形成し、電子機器１の電池ボックス３側にはこれに対応した箇所にくぼみ１１が形成されている。
【００３６】
このため、電池ボックス３にダミー電池７を入れる場合は、ダミー電池７を図１に示すような方向に配置し、出力端子９ａ，９ｂ，９ｃ側を電池ボックス３の挿入口位置に合わせ、スライドしながら挿入することで、くぼみ１１に突起１０が合致するため、当該外形形状を持ったダミー電池７のみが挿入可能となる。
【００３７】
図３は、図１のダミー電池７の向きや上下方向を入れ換えて電子機器１に挿入する場合の説明図である。図３に示すように、ダミー電池７の出力端子９ａ，９ｂ，９ｃ側を手前にした場合や、図１のダミー電池７の上下方向を逆にした場合、そのままの方向でダミー電池７を電子機器１の電池ボックス３へ挿入しようとすると、ダミー電池７の突起１０が電池ボックス３のくぼみ１１以外の所にぶつかってしまい、挿入することが不可能な状態となる。このため、ダミー電池７の誤挿入を容易に防ぐことができる。
【００３８】
図１や図３の例では、ダミー電池７に角型電池を採用したが、必ずしもこの形状に限るものではなく、円筒型やそれ以外の形状としたダミー電池などにも適用することができる。また、図１では外形の一部を大きくした突起１０の箇所を図の上面側に設けたが、これも限定されず、ダミー電池７のどの面に設けてもよい。その場合、この突起１０に対応する電池ボックス３側に設けるくぼみ１１の位置も当然変える必要がある。
【００３９】
さらに、外形の一部を大きくする突起１０の形状も、上記例では半円筒状としたが、どのような形状にしてもよく、また、大きくする箇所も１箇所だけではなく複数個設けるようにしても良い。
【００４０】
このようにして構成された電子機器１は、商用電源を用いて動作させようとした場合、市販のＡＣアダプタ６を用いて商用電源を直流電源に変換して電子機器に供給するが、ダミー電池７のＡＣアダプタジャック８にＡＣアダプタ６を挿入し、そのダミー電池７を電子機器１の電池ボックス３に収納することにより電源供給を行うことができる。
【００４１】
図２は、図１のダミー電池７内の概略構成を示すブロック図である。図２に示すように、ＡＣアダプタジャック８と出力端子９とが配線で接続されており、ＡＣアダプタジャック８からの入力（電力）が出力端子９を介して、電子機器１側の接続端子５へ供給される。
【００４２】
図４は、ダミー電池の外形の一部を大きくする位置を変えた場合の説明図である。図４では、同じ大きさの電池を使用する複数の電子機器があった場合、ある電子機器専用に製作したダミー電池を、他の電子機器で使用することができないようにしたダミー電池の例である。例えば、図４に示す電子機器１専用に製作したダミー電池７は、通常の電池（図１の電池２参照）に対して外形の一部を大きくした突起１０を形成し、電子機器１側の電池ボックス３の対応する箇所にくぼみ１１を設けることで、ダミー電池７は電子機器１にて使用することができる。
【００４３】
それに対し、図４に示す他の電子機器専用に製作したダミー電池１２は、外形の一部を大きくする突起１５の設置箇所をダミー電池７とは異なった位置に設けるようにしたため、通常の電池であればどちらの機種にも使用することが可能であるが、ダミー電池１２は電子機器１に挿入することができなくなるため、他機種用のダミー電池の誤挿入を防ぐことが可能となる。
【００４４】
また、図１に示すダミー電池７内の回路は、図２に示すように、ＡＣアダプタジャック８から出力端子９につないだだけであるが、図５に示すように、今までは電子機器１の本体に内蔵されていた逆電圧保護回路１７、過電圧保護回路１８、あるいは、コモンモードフィルタ１９をダミー電池１６内に内蔵することができる。
【００４５】
図５は、ＡＣアダプタジャックと出力端子との間に逆電圧保護回路と過電圧保護回路とコモンモードフィルタとを配置したダミー電池１６の概略構成を示す図である。
【００４６】
図５に示す逆電圧保護回路１７や過電圧保護回路１８、あるいは、コモンモードフィルタ１９などの回路は、大きなサイズの部品を必要とするため、従来のようにこれを電子機器内に内蔵すると電子機器自体が大型化することになる。しかし、本実施の形態の電子機器のダミー電池１６では、逆電圧保護回路１７、過電圧保護回路１８、およびコモンモードフィルタ１９を全てダミー電池１６側に内蔵させたため、電子機器の小型化に非常に有効である。
【００４７】
なお、図５に示したダミー電池１６では、大きなサイズの部品を必要とする逆電圧保護回路１７、過電圧保護回路１８、およびコモンモードフィルタ１９を全てダミー電池側に移しが、必ずしもこれに限定されるものではなく、上記３つの回路のうち、それぞれ１つの回路、あるいは、任意の２つの回路を組み合わせてダミー電池側に移しても良く、また、上記回路以外でダミー電池側に移せるものがあれば、それを移すことも勿論可能である。
【００４８】
また、最近では電子機器の小型化を達成するため、より小型の電池やより薄い電池を採用することが増加してきたが、その際、市販のＡＣアダプタを使用するダミー電池を製作しようとすると、ＡＣアダプタジャックのサイズは既に決まっているため、サイズが大きく電池サイズ内に収納できなくなることがある。
【００４９】
しかし、本実施の形態の電子機器のダミー電池を用いるならば、図６に示すように、ダミー電池の外形の一部を大きくする突起２７部分に、ＡＣアダプタジャック２５を配置したため、ＡＣアダプタジャック２５のサイズ以下の厚さ（大きさ）の電池であっても採用することが可能となると共に、異なる位置に突起が設けられたダミー電池が誤挿入されるのを防ぐことができる。
【００５０】
図６に示すダミー電池２４は、ＡＣアダプタジャック２５よりもサイズの小さい電池を採用する場合であって、ＡＣアダプタジャック２５の位置をダミー電池の外形の一部を大きくする突起２７部分とし、これに対応する電子機器２０の電池ボックス２３側には、この突起２７に対応する位置にくぼみ２１が形成されている。このため、ダミー電池２４は、電子機器２０の電池ボックス２３に挿入されると、ダミー電池２４の出力端子２６ａ，２６ｂ，２６ｃが電子機器２０側の接続端子２２ａ，２２ｂ，２２ｃに接続されて、電源供給を行うことができる。
【００５１】
以上説明したように、本実施の形態の電子機器のダミー電池によれば、電池駆動、および商用電源のあるところでＡＣアダプタを用いて電子機器を使用することが可能であり、ダミー電池の誤挿入や仕様の異なる機器との接続を防止することができると共に、回路構成を簡略化することができる上、電子機器を小型化することができる。
【００５２】
【発明の効果】
以上説明したように、請求項１に記載の発明によれば、ダミー電池の電池ボックスへの挿入方向の長さはダミー電池の長さと同等とし、ダミー電池の挿入方向と直交する断面形状において、電池の形状よりも大きくなる突起部を設けたので、誤挿入防止や仕様の異なる機器との接続を防止することができる。さらに、ダミー電池の突起部の挿入方向の長さは、挿入方向の手前の端部から挿入方向の長さの一部のみとし、電池の形状よりも大きくした突起部にＡＣアダプタジャックを配置している。
【００５５】
請求項２に記載の発明によれば、汎用のＡＣアダプタを使用する場合、アダプタプラグのプラス／マイナスが逆になっているものを誤って使用した場合の安全対策として、従来は逆電圧保護回路を電子機器本体内に設けていたが、この回路をダミー電池内に設けるようにしたので、電子機器本体のサイズをより小型化することができる。
【００５６】
請求項３に記載の発明によれば、汎用のＡＣアダプタを使用する場合、アダプタプラグが同形状で異なる電圧のＡＣアダプタを誤って使用した場合、あるいは、ＡＣアダプタが壊れてしまった等の理由によって、定格以上の電圧が出力されてしまった場合の安全対策として、従来は過電圧保護回路を電子機器本体内に設けていたが、この回路をダミー電池内に設けるようにしたので、電子機器本体のサイズをより小型化することができる。
【００５７】
請求項４に記載の発明によれば、ＥＭＣ対策として従来はコモンモードフィルタを電子機器本体内に設けていたが、この回路をダミー電池内に設けるようにしたので、電子機器本体のサイズをより小型化することができる。
【００５８】
請求項５に記載の発明によれば、従来は安全対策として、逆電圧保護回路と過電圧保護回路とを電子機器本体内に設けていたが、この回路をダミー電池内に設けるようにしたので、電子機器本体のサイズをさらに小型化することができる。
【００５９】
請求項６に記載の発明によれば、従来は安全対策およびＥＭＣ対策として、逆電圧保護回路とコモンモードフィルタを電子機器本体内に設けていたが、この回路をダミー電池内に設けるようにしたので、電子機器本体のサイズをさらに小型化することができる。
【００６０】
請求項７に記載の発明によれば、従来は安全対策およびＥＭＣ対策として、過電圧保護回路とコモンモードフィルタを電子機器本体内に設けていたが、この回路をダミー電池内に設けるようにしたので、電子機器本体のサイズをさらに小型化することができる。
【００６１】
請求項８に記載の発明によれば、従来は安全対策およびＥＭＣ対策として、逆電圧保護回路と過電圧保護回路とコモンモードフィルタを電子機器本体内に設けていたが、この回路をダミー電池内に設けるようにしたので、電子機器本体のサイズをより一層小型化することができる。
【００６２】
請求項９に記載の発明によれば、ダミー電池の電池ボックスへの挿入方向の長さはダミー電池の長さと同等とし、ダミー電池の挿入方向と直交する断面形状において、電池の形状よりも大きくなる突起部を設けたため、誤挿入防止や仕様の異なる機器との接続を防止することができる。さらに、ダミー電池の突起部の挿入方向の長さは、挿入方向の手前の端部から挿入方向の長さの一部のみとし、電池の形状よりも大きくした突起部にＡＣアダプタジャックを配置している。
【図面の簡単な説明】
【図１】本実施の形態の電子機器のダミー電池の概略構成を説明する斜視図である。
【図２】図１のダミー電池内の概略構成を示すブロック図である。
【図３】図１のダミー電池の向きや上下方向を入れ換えて電子機器に挿入する場合の説明図である。
【図４】ダミー電池の外形の一部を大きくする位置を変えた場合の説明図である。
【図５】ＡＣアダプタジャックと出力端子との間に逆電圧保護回路と過電圧保護回路とコモンモードフィルタとを配置したダミー電池の概略構成を示す図である。
【図６】外形の一部を大きくする突起部分にＡＣアダプタジャックを配置したダミー電池とそれに対応する電子機器を示す斜視図である。
【符号の説明】
１  電子機器
２  電池
３  電池ボックス
４ａ，４ｂ，４ｃ  出力端子
５ａ，５ｂ，５ｃ  接続端子
６  ＡＣアダプタ
７  ダミー電池
８  ＡＣアダプタジャック
９ａ，９ｂ，９ｃ  出力端子
１０  突起
１１  くぼみ
１２  ダミー電池
１３  ＡＣアダプタジャック
１４ａ，１４ｂ，１４ｃ  出力端子
１５  突起
１６  ダミー電池
１７  逆電圧保護回路
１８  過電圧保護回路
１９  コモンモードフィルタ
２０  電子機器
２１  くぼみ
２２ａ，２２，２２ｃ  接続端子
２３  電池ボックス
２４  ダミー電池
２５  ＡＣアダプタジャック
２６ａ，２６ｂ，２６ｃ  出力端子
２７  突起
【図１】
0004087071.tif 000002
【図２】
0004087071.tif 000003
【図３】
0004087071.tif 000004
【図４】
0004087071.tif 000005
【図５】
0004087071.tif 000006
【図６】
0004087071.tif 000007